(57)【要約】      （修正有）【課題】座位、仰向け、うつ伏せ姿勢で動力の補助を得て、身体の各部位にねじりを生じさせて、運動不足の人の筋肉のこりをほぐし、血液循環を促進し、筋トレも交えて健康の回復、維持、増進へと進化できる多目的フィットネス装置を提供する。【解決手段】身体の各部位にねじりを生じさせる手段として、回動可能に支持されている支柱４１と、支柱下方に連結可能に配設されている反復駆動装置５１と、支柱の両側面に固着されている上段及び下段ウイングと、支柱上部に摺動可能に連結されているパット駆動装置３２と、を備える本体Ａと、パット部３５を備える附属品と、で構成され、前後、左右、上下に動く本体可動部１１の旋回力を人体側にパット部３５を介して柔軟に伝達することにより、身体的自由度の高い運動姿勢で全身ねじり運動ができる。【選択図】図１
2015171393.tif 000002
【特許請求の範囲】
【請求項１】
人体の各部位に対して、ねじりを生じさせるための手段として、回動可能に垂直に支持されている支柱と、前記支柱を反復回動させるために前記支柱の下方先端に連結可能に配設されている反復駆動装置と、人体に対する前後方向の旋回力を付与するために前記支柱の上方側面に左右対称的に固着されている略棒状の上段ウイング、及び／又は、人体に対する左右方向並びに上下方向の旋回力を付与するために前記支柱の上部に連結可能に配設され、パットが固定されているパット駆動装置と、を備える本体と、
本体側の前後、左右及び上下方向の旋回力を人体側に伝達するための手段として前記上段ウイングに着脱可能に連結、又は前記パットに着脱可能に付着される附属品であるパッド部と、
を備える構成としていることを特徴とする多目的フィットネス装置。
【請求項２】
前記反復駆動装置は、前記支柱を所定の揺動角で自動的に反復回動するための手段を備え、支柱に連結されている前記上段ウイングに前後方向の旋回力を付与し、また、パットに左右方向の旋回力を付与していることを特徴とする請求項１に記載の多目的フィットネス装置。
【請求項３】
前記支柱の上方側面に左右対称的に固着されている前記上段ウイングは、旋回半径を調節するための手段を備え、人体に対する前後方向のストロークを自在に変えることができることを特徴とする請求項1又は請求項2に記載の多目的フィットネス装置。
【請求項４】
前記パット駆動装置は、前記支柱上部に摺回動可能に連結される手段を備え、前記パット駆動装置の左右方向の向きを自在に変えることができることを特徴とする請求項1乃至請求項3のいずれか1項に記載の多目的フィットネス装置。
【請求項５】
前記パット駆動装置は、前記パット駆動装置に固定されている前記パットを上下方向に旋
回動するための手段を備えていることを特徴とする請求項１乃至請求項4のいずれか1項に記載の多目的フィットネス装置。
【請求項６】
前記パットは、前記パットの旋回半径を調節するための手段を備え、人体に対する上下方向並びに左右方向のストロークを自在に変更できることを特徴とする請求項1乃至請求項5のいずれか1項に記載の多目的フィットネス装置。
【請求項７】
前記支柱の下方側面に左右対称的に固着されている下段ウイングは、旋回半径を調節
するための手段を備え、人体に対する前後方向のストロークを自在に変更できることを特徴とする請求項1乃至請求項6のいずれか1項に記載の多目的フィットネス装置。
【請求項８】
前記パッド部が、伸縮性連結ベルトの両端に固定されている環状の環状バンドと、
前記環状バンドの環に沿って移動可能に連結されているフック付紐及び把持環付紐とで形成される肩用パットであることを特徴とする請求項1乃至請求項7のいずれか1項に記載の多目的フィットネス装置。
【請求項９】
前記パッド部が、マットと、前記マット上を移動可能に左右対称的に配設されている
円弧状の周縁部に傾斜面を設けた略半円板状弾性体とで形成されている骨盤用パッドであることを特徴とする請求項1乃至請求項7のいずれか1項に記載の多目的フィットネス装置。
【請求項１０】
前記パッド部が、中央部が低く左右端側が高く上下方向で弓なり状に湾曲している略
長方形弾性体と、前記略長方形弾性体上に左右対称的に配設されている平面視が円状、側面視で上面が前面に向かって上向きに傾斜している鏡餅状の円状扁平弾性体とで形成されている腹腰兼用敷物パッドであることを特徴とする請求項1乃至請求項７のいずれか1項に記載の多目的フィットネス装置。
【発明の詳細な説明】
【技術分野】
【０００１】
本発明は、多目的フィットネス装置に関する。
【背景技術】
【０００２】
従来の人力運動器具は、身体に負荷をかけて筋肉を鍛えるものであったが、近年、電
動式のもので足載置台を反復回転、座体を回転、又は座面を反復回転させて運動する技術が開示されている。
【０００３】
特許公報参照事例（回転型運動装置）では、回転板の上面が前面に向かって上向きに
傾斜している回転板上に起立し、モータとカム等で構成されている反復駆動装置により回転板を正逆繰り返し回動させて腰のひねり運動をするものがある。（特許文献1）。
【０００４】
特許公報参照事例（椅子型運動器具）では、座体の軸心が、外側に傾いた状態の椅子
に座って、モータとベルトと偏心円盤とで構成される駆動装置により座体を回転させて、人体を大きく動かしながら運動をするものがある（特許文献2）。
【０００５】
特許公報参照事例（椅子の座面だけが回転して腹筋運動ができる椅子）では、上半身
を背もたれと肘掛に固定し、座面がモータにより半回転往復する椅子に座って腹筋運動をするものもある（特許文献3〉。
【先行技術文献】
【特許文献】
【０００６】
【特許文献１】特開2009−119043号  公報
【特許文献２】特開2008−149029号  公報
【特許文献３】特開2004−166871号  公報
【発明の概要】
【発明が解決しようとする課題】
【０００７】
多くの成人は、運動不足による体調不良で悩んでいるが、特許分献1乃至3に開示されている腰、又は腹部を回すだけの運動器具では、首、腕、肩、背中、骨盤、臀部、大腿部、ふくらはぎ、足などの運動ができないという問題があった。
【０００８】
多くの高齢者は、筋肉痛や倦怠感に悩まされているが、特許文献1乃至３に開示されている腰、又は腹部を回すだけの運動器具では、体のいたるところに発生する筋肉のこりや倦怠感などを解決できないという問題があった。
【０００９】
多くの人は、肥満で悩んでいるが、特許文献1乃至3に開示されている腰、又は、腹部を回すだけの運動器具では、脂肪がつきやすい肩、背中、臀部、太もも、ふくらはぎなどの脂肪を減じることができないという問題があった。
【００１０】
従来の運動器具では、1台で何でもできるものがなかったので、やむを得ずいろんな運動器具を対症療法的に買い揃えていたが、経済的問題と狭い部屋に不使用品が溜まって邪魔になるという問題があった。
【００１１】
本発明品は、座位、仰向け、うつ伏せなどの楽な姿勢で動力の補助を得て使用者が運動したいと考えている首、腕、肩、背中、腰、腹部、骨盤、臀部、大腿部、ふくらはぎ及び足などを、適度にねじりながら反復運動を行うものであって、運動不足の人の筋肉と靭帯のこりをほぐしながら、血液循環を促進し、筋トレも交えて健康の回復、維持、増進へと進化できる多目的フィットネス装置を提供することを課題とする。さらに、ダイエット、リハビリ、マッサージ、ストレッチ、セルライト予防及びメタボ予防運動なども課題とする。
【課題を解決するための手段】
【００１２】
本発明に示されている方向は、人体側から見た方向を記載している。
請求項1に記載の多目的フィットネス装置とは、人体の各部位に対して、ねじりを生じさせるための手段として、回動可能に垂直に支持されている支柱41と、前記支柱41を反復回動させるために前記支柱41の下方先端に連結可能に配設されている反復駆動装置51と、人体に対する前後方向の旋回力を付与するために前記支柱41の上方側面に左右対称的に固着されている略棒状の上段ウイング11、及び／又は、人体に対する左右方向並びに上下方向の旋回力を付与するために前記支柱41の上部に連結可能に配設され、パット35が固定されているパット駆動装置32と、を備える本体Aと、前記本体A側の前後、左右及び上下方向の旋回力を人体側に伝達するための手段として前記上段ウイング11に着脱可能に連結、又は前記パット35に着脱可能に付着される附属品であるパッド部7を備える構成としていることを特徴とする。
【００１３】
前記本体A解決手段による作用を説明する。動力源である前記反復駆動装置51を起動し、従動する前記支柱41を反復回動せしめ、前記支柱41の側面に位置する前記上段ウイング11に前後方向の旋回力を付与し、また、前記支柱41の前面に位置するパット35に左右方向の旋回力を付与し、さらに、前記パット駆動装置32を起動し前記パット35に上下方向の旋回力を付与することにより、身体の全部位にねじりを生じさせながら全身運動を行うことができる。
【００１４】
前記パッド部7解決手段による作用を説明する。前記付属品の中から運動したい部位
に該当する前記パッド部7を選択し、前記本体Aの前記上段ウイング11に連結、又は前記パット35の先端に付着し、前記本体側の旋回力を、前記パッド部7を介して身体側に柔軟に伝達することにより、身体的自由度の高い姿勢で運動を行うことができる。
【００１５】
前記本体Ａと、前記パッド部7とによる解決手段を組み見合わせることにより、身体
的自由度の高い姿勢で全身ねじり運動のできる多目的フィットネス装置を提供できる。
【００１６】
請求項2に記載の多目的フィットネス装置は、請求項1において、前記反復駆動装置51が、前記支柱41を所定の揺動角で自動的に反復回動するための手段を備え、前記支柱41に連結されている前記上段ウイング11に前後方向の旋回力を付与し、前記パット35に左右方向の旋回力を付与していることを特徴とする。
【００１７】
以下、請求項2に記載の発明による作用を説明する。前記反復駆動装置51は、回転
/反復変換機構51cを備え、前記反復駆動装置51用ブラシレスDCモ−タ51aの回転を前記支柱41の反復回動に変換するという作用を有する。
【００１８】
請求項3に記載の多目的フィットネス装置は、請求項1又は請求項2において、前
記支柱41の上方側面に左右対称的に固着されている前記上段ウイング11が、旋回半径を調節するための手段を備え、人体に対する前後方向のストロークを自在に変更できることを特徴とする。
【００１９】
以下、請求項3に記載の発明による作用を説明する。前記上段ウイング11の旋回半
径及び前後方向のストロークを運動したい部位の大きさに応じて調節できるという作用を有する。
【００２０】
請求項4に記載の多目的フィットネス装置は、請求項1乃至請求項3のいずれかにおいて、前記パット駆動装置32が、前記支柱41の上部にある連結面43において、摺回動可能に前記支柱41に連結される手段を備え、前記パット駆動装置32の左右方向の向きを自在に変更できることを特徴とする。
【００２１】
請求項４に記載の発明による作用を説明する。前記パット駆動装置32の軸受座32d
の下側に突出している内軸32eに、図示しないがロック用小穴が複数個一列に、前記ロック機構42と係合可能に配列されている。前記ロック機構42を解除し、前記軸受座32dを所定の角度内で左または右に摺回動させて、前記パット駆動装置32を運動しやすい方向に向きを変更できるという作用を有する。
【００２２】
請求項5に記載の多目的フィットネス装置は、請求項1乃至請求項4のいずれかにおいて、前記パット駆動装置32が、前記パット駆動装置32に固定されている前記パット35を上下方向に旋回動するための手段を備えていることを特徴とする。
【００２３】
請求項5に記載の発明による作用を説明する。前記パット駆動装置32は、トルクリ
ミッタ付DCギヤードモータ32aと、ウォーム32bと、ウォームホイール32cと、前記軸受座32dと、内軸32eと、を備える構成とし、前記パット35を上下方向に旋回動できるという作用を有する。
【００２４】
請求項6に記載の多目的フィットネス装置は、請求項1乃至請求項5のいずれかにおいて、前記パット35が、旋回半径を調節するための手段を備え、人体に対する上下方向並びに左右方向のストロークを自在に変更できることを特徴とする。
【００２５】
請求項6に記載の発明による作用を説明する。前記パット35を構成している内筒35aを外筒35c内に出し入れして、旋回半径及び上下方向、又は左右方向のストロークを運動したい部位の上下、又は左右方向の移動量に応じて調節できるという作用を有する。
【００２６】
請求項7記載の多目的フィットネス装置は、請求項1乃至請求項6のいずれかにおいて、前記支柱41の下方側面に左右対称的に固着されている下段ウイング21が、旋回半径を調節するための手段を備え、人体に対する前後方向のストロークを自在に変更できることを特徴とする。
【００２７】
請求項7記載の発明による作用を説明する。前記下段ウイング21の旋回半径及び前
後方向のストロークを運動したい部位の前後方向移動量に応じて調節できるという作用を有する。
【００２８】
請求項8に記載の多目的フィットネス装置は、請求項1乃至請求項7のいずれかに
おいて、前記パッド部7が、伸縮性ベルト711aの両端に固定されている環状の環状バンド711bと、前記環状バンド711bの環に沿って移動可能に連結されているフック711d付連結紐711cと、把持環711f付紐711eとで形成される肩用パット711であることを特徴とする請求項1乃至請求項7のいずれか1項に記載の多目的フィットネス装置。
【００２９】
請求項8に記載の発明による作用を説明する。座位姿勢となって、前記肩用パッド711を肩に装着し、前記フック711dを、プリロード具722を介して止め環12bに連結し、前記反復駆動装置51を起動し、前記把持環711fを握り、肩から肩甲骨、背中、腹部へとねじりを伝播させながら上半身運動ができるという作用を有する。
【００３０】
請求項9に記載の多目的フィットネス装置は、請求項1乃至請求項7のいずれかに
おいて、前記パッド部7が、マット712aと、面ファースナ712cと、前記マット712a上を移動可能に固定される円弧状の周縁部に傾斜を設けた略半円板状弾性体712bが左右対称的に形成されている骨盤用敷物パッド712であることを特徴とする。
【００３１】
請求項9に記載の発明による作用を説明する。前記パット35の先端に球状パッド719を付着し、仰向け姿勢となって、前記骨盤用敷物パッド712を臀部に敷いて、前記反復駆動装置51を起動し、前記球状パッド719で立てひざを横から押倒すことにより、脚から太もも、骨盤、腹部、腰へとねじりを伝播しながら下半身運動と骨盤運動が同時にできるという作用を有する。
【００３２】
請求項10に記載の多目的フィットネス装置は、請求項1乃至請求項7のいずれかに
おいて、前記パッド部7が、中央部が低く左右端側が高く上下方向で弓なり状に湾曲している略長方形弾性体713ａと、前記略長方形弾性体713ａ上に配設されている平面視が円状、側面視で上面が前面に向かって上向きに傾斜している鏡餅状の円状扁平弾性体713bが左右対称的に形成されている腹腰兼用敷物パッド713であることを特徴とする。
【００３３】
請求項10に記載の発明による作用を説明する。腰ベルト721を腰に装着し、フック
721dを、プリロード具722を介して前記止め環12bに連結し、うつ伏せ姿勢となって、前記腹腰兼用パッド713を下腹部に敷いて、前記反復駆動装置51を起動し、下腹部を左右に揺動させながら腹部の波打運動ができるという作用を有する。
【発明の効果】
【００３４】
請求項１の発明によれば、人体に対する前後、左右、上下方向の旋回力を付与する手
段を備えた前記本体Aと、前記本体A側の旋回力を人体側に柔軟に伝達するためのパッド部7とを組み合わせることにより、身体的自由度の高い姿勢で全身ねじり運動ができるという効果を有する。
【００３５】
請求項１の発明によれば、ねじり運動以外に一台でダイエット、リハビリ、マッサージ、ストレッチ、セルライト予防及びメタボ予防効果が期待できるので、運動器具を対症療法的に購入しなくてもよい。また、スペースも狭いスペースでよいという効果を奏する。
【００３６】
請求項2の発明によれば、回転/反復変換機構51cを有する前記反復駆動装置51は、
従動する支柱41を反復回動せしめ、前記支柱41に連結されている上段ウイング11が前後方向に反復旋回することによって上半身運動を行い、前記パット35が左右方向に反復旋回することによって下半身運動ができるという効果を有する。
【００３７】
請求項２の発明によれば、前記反復駆動装置51の反復回動に従動する支柱41が、
反転前の減速と反転後の加速を自動的に行うので、ショックレス運動ができるという効果を有する。
【００３８】
請求項3の発明によれば、前記上段ウイング11は、人体に対して前後方向に反復旋
回する可動部であり、前記上段ウイング11に配設されている前記サドル12を左、又は右方向に移動させて前記サドル12の旋回半径を調節し、前後方向のストロークを自在に変えて前後運動ができるという効果を有する。
【００３９】
請求項4の発明によれば、前記軸受台32dの下部に突出している内軸32eの側面に、前記ロック機構42と係合可能にロック用の小穴が複数個一列に配列されている。前記ロック機構42を解除し、前記軸受台32dを摺回動させて、前記パット駆動装置32の向きを運動しやすい方向に自在に変えて運動ができるという効果を有する。
【００４０】
請求項5の発明によれば、前記パット駆動装置32に付設されている前記パット35
は、人体に対して上下方向に旋回する可動部であり、前記パット35の先端に球状パッド719を付着し、前記パット駆動装置32を起動し、前記球状パッド719を手で掴むことにより、腕の上下運動ができるという効果を有する。
【００４１】
請求項6の発明によれば、前記パット35は、人体に対して上下方向、又は左右方向
に旋回する可動部であり、前記内筒35aを、前記外筒35c内部に出し入れして旋回半径及び上下方向、又は左右方向のストロークを自在に変えて上下運動と左右運動ができるという効果を有する。
【００４２】
請求項7の発明によれば、前記下段ウイング21は、人体に対して前後方向に反復旋
回する可動部であり、前記下段ウイング21に横一列に配列されている止め環21aを選択して旋回半径及び前後方向のストロークを自在に変えて脚などの牽引運動ができるという効果を有する。
【００４３】
請求項8の発明によれば、座位姿勢となって、前記パッド部7の前記肩用パッド711
を肩に装着し、前記フック711dを、前記プリロード具722を介して前記止め環12bに連結し、前記把持環711fを握って前記反復駆動装置51を起動し、肩から肩甲骨、背中、腹部へとねじりを伝播させながら上半身運動を行うことにより、上半身の疲労回復効果が期待できる。
【００４４】
請求項9の発明によれば、仰向け姿勢となって、前記パット部7の骨盤用敷物パッド
712を臀部に敷いて前記反復起動装置51を起動し、前記球パッド719で、立てひざを横から押倒すことにより、脚から太もも、腰、腹部、骨盤へとねじりを伝播させながら、下半身運動と骨盤運動を同時に行うことにより、下半身の疲労回復と骨盤の歪み予防効果が期待できる。
【００４５】
請求項10の発明によれば、うつ伏せ姿勢となって、前記パッド35の先端に前記球
状パッド719を付着し、前記腰ベルト721を腰に装着し、前記フック721dを、前記プリロード具722を介して前記止め環12bに連結し、前記パッド部7の前記腹腰兼用敷物パッド713を下腹部に敷いて、前記反復駆動装置51を起動し、下腹部を左右に揺動させながら腹部の波打運動を行うことにより、腹部のメタボ予防効果が期待できる。
【図面の簡単な説明】
【００４６】
【図１】本体Ａを示した斜視図である。
【図２】本体Ａと肩用パッド711の使用状態を示した斜視図である。
【図３】本体Ａと球状パッド719と骨盤用敷物パッド712の使用状態を示した斜視図であ          る。
【図４】本体Ａと腹腰兼用敷物パッド713と腰ベルト721の使用状態を示した斜視図であ          る。
【図５】肩用パッド711を示した斜視図である。
【図６】骨盤用敷物パッド712を示した斜視図である。
【図７】腹腰兼用敷物パッド713を示した斜視図である。
【図８】足首吊り用パッド714を示した斜視図である。
【図９】ふくらはぎ用パッド715を示した斜視図である。
【図１０】首用パッド716を示した斜視図である。
【図１１】押圧用パッド717を示した斜視図である。
【図１２】脚牽引用パッド718を示した斜視図である。
【図１３】球状パッド719を示した斜視図である。
【図１４】棒状パッド720を示した斜視図である。
【図１５】腰ベルト721を示した斜視図である。
【図１６】プリロード具722を示した斜視図である。
【図１７】クランク723を示した斜視図である。
【図１８】連球パッド724を示した斜視図である。
【図１９】温熱パッド725を示した斜視図である。
【発明を実施するための形態】
【００４７】
以下、本発明の実施の形態を図1〜図19に基づいて説明する。
【００４８】
図１は、前記本体Aを示す斜示図である。前記本体Aは、上段ウイング部1と、下段ウイング部2と、略球状体31、パット駆動装置32及びパット35からなる補駆動部3と、支柱部4と、反復駆動装置51、制御装置52、筐体53及び軸受54からなる主駆動部5と、台板部６と、で構成されている。
【００４９】
前記上段ウイング部1の上段ウイング11は、旋回半径を調節する手段として前記上段
ウイング11に複数個一列に配設されている小穴11aと、ロック機構12aと複数の止め環12bを有する前記サドル12と、を備えている。図示しないが、前記ロック機構12aは、内部にロックピンとスプリングを備えている。前記上段ウイング11の先端部には、滑り止めを有する球状弾性体13が着脱可能に固定されている。また、前記球状弾性体13の上部中央には、角穴13aが設けられている。
【００５０】
以下、上記構成の作用を説明する。前記上段ウイング11は、前後方向に反復旋回す
る可動部である。前記ロック機構12aを解除し、前記サドル12を左又は右に移動し、旋回半径及び前後方向のストロークを自在に変えて上半身及び下半身のねじり運動ができるという作用を有する。また、左右の前記サドル12に付設されている前記止め環12bの前側と下側をたがい違いに選択することにより、クロス掛けされている連結紐どうしが運動中に接触干渉するのを防止できるという作用を有する。
【００５１】
前記下段ウイング部2の下段ウイング21の前面には、旋回半径を調節する手段として、
前記止め環21aが複数個一列に配設されている。また、前記下段ウイング21の先端には、滑り止めを有する球状弾性体22が着脱可能に固定されている。
【００５２】
以下、上記構成の作用を説明する。前記下段ウイング21は、前後方向に反復旋回す
る可動部である。前記止め環21aを選択して旋回半径及び前後方向のストロークを自在に変えて脚等の牽引ができるという作用を有する。
【００５３】
前記補駆動部3の前記パット駆動装置32は、前記パット35を上下方向に旋回動させる
ための手段として、前記トルクリミッタ付ＤＣギヤードモータ32aと、前記ウォーム32bと、前記ウォームホイール32cと前記軸受座32dと、前記内軸32eと、上下方向の旋回動を制限するための上限用近接スイッチ33aと、下限用近接スイッチ33bと、を備えている。尚、前記パット駆動装置32内の軸受は、オイルレスメタル、又はベアリングとしてもよい。前記ウォーム32bと前記ウォームホイール32cは潤滑性を有する材質としてもよい。前記トルクリミッタ付ＤＣギヤードモータ32a はブラシレスモータとしてもよい。前記上限用近接スイッチ33a及び下限用近接スイッチ33bは、磁気スイッチ、光電スイッチ、又はリミットスイッチとしてもよい。
【００５４】
以下、上記構成の作用を説明する。前記パット駆動装置32は、パット35を上下方
向に旋回動させるものである。前記パット35の上下方向の可動範囲は、前記上限用近接スイッチ33aと前記下限用近接スイッチ33bとで制限されており、前記球状体31の頂点を上限として下方に所定の角度150度の範囲内で旋回することができる。また、旋回を停止すると前記ウォーム32bのセルフロック機能によって、前記パット35を停止位置に機械的に保持するという作用を有する。また、前記トルクリミッタは、減速機の許容トルクを超える負荷トルクが加わると動力の伝達を自動的に遮断するという安全作用を有する。
【００５５】
前記補駆動部3の前記パット駆動装置32の向きを調節する手段として、前記軸受座32dの下部に突出
している内軸32eの側面には図示しないが、ロック用の小穴が複数個横一列に配設されている。尚、前記小穴は縦溝としてもよい。
【００５６】
以下、上記構成の作用を説明する。前記ロック機構42を解除し、前記軸受座32dを
摺回動させて、前記パット駆動装置32の向きを運動しやすい方向に所定の角度約±60度の範囲内で自在に変更できるという作用を有する。
【００５７】
前記補駆動部3の前記パット35は旋回半径を調節する手段として、内筒35bと、クランプ35bと、外筒35cと、連結具35dと、を備えている。図示しないが前記連結具35dの根元側は、前記ウォームホイール32cの外周に固定されている。尚、図示しないが前記連結具35dの先端側において、前記外筒35cが上向き方向の遊びを有する構成としてもよい。
【００５８】
以下、前記構成の作用を説明する。前記パット35は、前記クランプ35dを緩め、前
記内筒35aを前記外筒35c内に出し入れして、旋回半径及び左右方向、又は上下方向のストロークを自在に変えて左右運動、又は上下運動ができるという作用を有する。尚、運動中に前記パット35に上向きの外力が加わると、前記パットを上方向に逃がすという作用を有する。
【００５９】
前記補駆動部3の略球状体31は、前面に細長いスリット34を有し、図示しないが上半球と下半球とに結合可能に分割されている。尚、略球状体31は左半球と右半球とに結合可能に分割してもよい。
【００６０】
以下、上記構成の作用を説明する。前記略球状体31は、前記略球状体31内部に組
み込まれている機構部品を外力から保護するという作用を有する。
【００６１】
前記支柱部4の前記支柱41は、回動可能に垂直に支持されている。
【００６２】
以下、上記構成の作用を説明する。前記支柱41は、前記反復駆動装置51の反復回
動を従動し、前記支柱41に連結されている前記上段ウイング11と、前記下段ウイング21と、前記パット35と、に反復旋回力を伝達するという作用を有する。
【００６３】
前記支柱41は、逆円錐形に形成されている。尚、前記支柱41は円錐形、逆角錐形、角錐形、又は円柱形としてもよい。
【００６４】
以下、上記構成の作用を説明する。前記支柱41は上から下に向けて細くすることで軽量作用を有する。
【００６５】
前記支柱41は、軸中心部に上下方向の貫通穴41aを有している。
【００６６】
以下、上記構成の作用を説明する。前記貫通穴41aは、前記パット駆動装置32用の
電気配線を外力から保護するという作用を有する。
【００６７】
前記主駆動部5の筐体53上部に配設されている軸受54には、図示しないが内部にベアリングが複数個組み込まれている。尚、前記軸受54は前記筐体53内部に配設してもよい。
【００６８】
以下、上記構成の作用を説明する。前記軸受54は、前記支柱41を回動可能に垂直に支持するという作用を有する。
【００６９】
前記支柱41は、前記支柱41の上方に連結面43と、ロック機構42と、を備えている。前記ロック機構42は図示しないが、内部にロックピンとスプリングを有している。尚、前記ロック機構42は図示しないがネジ止めとしてもよい。
【００７０】
以下、上記構成の作用を説明する。前記連結面43は前記パット駆動装置32を左、
又は右に摺回動するための摺動面である。前記ロック機構42は、前記パット駆動装置32を前記支柱41に連結するという作用を有する。
【００７１】
前記主駆動部5の前記反復駆動装置51は、ブラシレスＤCモータ51と、ウォーム減速機51bと、回転／反復変換機構51cと、で構成されている。尚、前記ブラシレスDCモータ51aは、ACモータ、又はパルスモータとしてもよい。また、前記ウォーム減速機51bはハイポイド減速機としてもよい。また、前記回転／反復変換機構51c内部に組み込まれているリンク機構は外付けとしてもよい。
【００７２】
上記構成の作用を説明する。前記ブラシレスDCモータ51aの回転は、前記ウォー
ム減速機51bで減速後、前記回転/反復変換機構51cを介して反復運動に変換され、従動する支柱41を所定の揺動角0〜120度の範囲内で反復回動するという作用を有している。また、前記反復駆動装置51は、反転前の減速と反転後の加速を自動的に繰り返すショックレス作用とブラシ摺動音の出ない静音作用を有する。
【００７３】
前記筐体53内に収容されている制御装置52は、無段階速度制御部52aと、定速度
制御部52bと、電気配線で接続されている手元操作器52cと、を備えている。尚、前記手元操作器52cは無線操作器としてもよい。また、前記定速度制御部52bは高速/低速の２段階速度制御としてもよい。
【００７４】
以下、上記構成の作用を説明する。前記無段階速度制御部52aは、前記手元操作器
52c内のボリュームを調節することにより、前記ブラシレスDCモータ51aの回転速度を広範囲に制御できるという作用を有する。また、前記定速度制御部52bは、前記手元操作器52c内の押釦で前記トルクリミッタ付DCギヤードモータ32aの回転速度を断続的に寸動制御することができるという作用を有する。
【００７５】
前記筐体53は、略台形の半密閉構造で内部に前記反復駆動装置51と前記制御装置52が収容されている。前記筐体53の外周面には複数個の通気口53aと複数個の排気口53bが配設されている。尚、自然換気は強制換気としてもよい。
【００７６】
以下、上記構成の作用を説明する。前記筐体53は内部に収容されている前記反復駆
動装置51と、前記制御装置52と、を外力から保護するという作用を有する。また、内部で発生した熱を下方の通気口53aから入ってくる空気の流れに乗せて上方の排気口53bから出すという作用を有する。
【００７７】
前記台板部の台板61は、略四角形の重量物で構成されている。前記台板61の前方にすべり止めを有する波状の弾性体であるフットレスト62と、四隅に滑り止め具63と、固定ネジ64と、キャスタ65と、を備えている。尚、前記フットレスト62はドーム状の弾性体としてもよい。また、滑り止め具63にはウレタンゴム、又はシリコンゴムを貼付してもよい。また、前記台板61をベッドなどの狭い場所に設置する場合には、前記台板61は図示しないが小さな四角形、又は丸形とし、設置面にネジで固定してもよい。
【００７８】
以下、上記構成の作用を説明する。前記台板61は重量物で構成されている。前記固定ネジ64を締めると前記本体Aの重量が前記キャスタ65から前記すべり止め具63に移動し、前記本体Aを摩擦力で設置面に固定できるという作用を有する。
【００７９】
図2は、前記本体Aと前記肩用パッド711の使用状態を示した斜視図である。前記
肩用パッド711は、前記伸縮性ベルト711aに固定されている環状の前記環状バンド711bと、前記環状バンド711bの環に沿って移動可能に連結されている前記フック711d付連結紐711c及び把持環711f付紐711eとで形成されている。まず、座位姿勢となって、前記肩用パッド711を肩に装着し、前記フック711dを、プリロード具722を介して前記止め環12bに連結し前記把持環711fを握り、次に、前記反復駆動装置51を起動し、肩から肩甲骨、背中、腹部へとねじりを伝播させながら上半身ねじり運動を行うことにより、上半身の疲労回復効果が期待できる。
【００８０】
図3は、前記本体Aと前記球状パッド719と前記骨盤用敷物パッド712の使用状態を示した斜視図である。前記球状パッド719は、こう配付球状弾性体719aと、ワンタッチ具719bとで形成されている。また、前記骨盤用敷物パッド712は、前記マット712aと、前記マット712a上に配列されている面ファースナ712cと、左右対称的に移動可能に固定されている円弧状の周縁部に傾斜面を設けた前記略半円板状弾性体712bと、で形成されている。まず、前記球状パッド719を前記パット35の先端に付着し、次に仰向け姿勢となって、前記骨盤用敷物パッド712を臀部に敷いて、前記反復駆動装置51を起動し、前記球状パッド719で立ひざを      押倒しながら、脚から太もも、骨盤、腹部、腰、背中へとねじりを伝播させる下半身ねじり運動と、骨盤を転がす骨盤運動を同時に行うことにより、下半身の疲労回復と骨盤の歪み予防効果が期待できる。
【００８１】
図4は、前記本体Ａと前記腹腰兼用敷物パッド713と前記腰ベルト721の使用状態を示した斜視図である。前記腹腰兼用敷物パッド713は、中央部が低く左右端側が高く上下方向で弓なり状に湾曲している前記略長方形弾性体713aと、前記略長方形弾性体713a上に左右対称的に配設されている平面視が円状、側面視で上面が前面に向かって上向きに傾斜している鏡餅状の前記円状扁平弾性体713bと、で形成されている。また、前記腰ベルト721は、前記面ファースナ付ベルト721aと、前記ベルト721の両側面に付設されているリング721bと、フック721d付伸縮性連結紐721cとで形成されている。まず、前記腰ベルト721を腰に装着し、前記フック721dを、前記プリロード具722を介して止め環12bに連結し、次に、うつ伏せ姿勢となって、前記腹腰兼用敷物パッド713を下腹部に敷き、前記反復駆動装置51を起動し、下腹部を左右に揺動させながら腹部の波打ち運動を行うことにより、腹部のメタボ予防効果が期待できる。
【００８２】
図5は、前記肩用パッド711を示した斜視図である。前記肩用パッド711は、伸縮
性ベルト711aの両端に固定されている環状の環状バンド711bと、前記環状バンド711bの環に沿って移動可能に連結されているフック711d付連結紐711cと把持環711f付紐711eとで形成されている。まず、座位姿勢となって、前記肩用パッド711を装着し、前記フック711dを、前記プリロード具722を介して前記止め環12bに連結し、前記把持環711fを握り、次に、前記反復駆動装置51を起動し、肩から肩甲骨、背中、腹部へとねじりを伝播させながら上半身ねじり運動を行うことにより、上半身の疲労回復効果が期待できる。
【００８３】
図6は、前記骨盤用敷物パッド712を示した斜視図である。前記骨盤用敷物パッド712は、マット712aと前記マット712a上に左右対称的に移動可能に前記面ファースナ712cで固定されている円弧状の周縁部に傾斜面を設けた前記略半円板状弾性体712bとで形成されている。まず、前記球パッド719を前記パット35の先端に付着し、次に、仰向け姿勢となって前記骨盤用敷物パッド712を臀部に敷いて、前記反復駆動装置51を起動し、前記球パッド719で立てひざを押倒しながら、脚から太もも、骨盤、腹部、腰、背中へとねじりを伝播させる下半身ねじり運動と、骨盤を転がす骨盤運動を同時に行うことにより、下半身の疲労回復と骨盤の歪み予防効果が期待できる。尚、前記骨盤用敷物パッド712は、表面が軟質で内部が硬質の弾性体としてもよい。また、前記面ファースナ712cは、図示しないが複数個の凸凹形成による係止としてもよい。
【００８４】
図7は、前記腹腰兼用敷物パッド713を示した斜視図である。前記腹腰兼用敷物パッド713は、中央部が低く左右端側が高く上下方向で弓なり状に湾曲している前記略長方形弾性体713aと前記略長方形弾性体713a上に左右対称的に配設されている前記円状扁平弾性体713bとで形成されている。まず、前記腰ベルト721を腰部に装着し、前記フック721dを、前記プリロード具722を介して前記止め環12bに連結し、次に、前記腹腰兼用敷物パッド713を下腹部に敷いて、前記反復駆動装置51を起動し、下腹部を左右に揺動させながら腹部の波打ち運動を行うことにより、腹部のメタボ予防効果が期待できる。尚、前記腹腰兼用敷物パッド713は、表面が軟質で内部が硬質の弾性体としてもよい。
【００８５】
図8は、足首吊り用パッド714を示した斜視図である。前記足首吊り用パッド714は面ファースナ付筒状バンド714aと、鐙状の足かけ714bと、前記面ファースナ付筒状バンド714aの側面に付設されている帯紐714cと、フック714e付紐714dと、で形成されている。まず、前記クランク723を前記球状弾性体13の角穴13aに挿入し、前記面ファースナ付筒状バンド714aを両足首に装着し、次に、仰向け向け姿勢となって、前記フック714eを前記クランク723の止め穴723eに係止し、前記反復駆動装置51を起動し、脚の屈伸運動を行うことにより、下半身の疲労回復効果と、ひざ関節のこわばり予防効果が期待できる。
【００８６】
図9は、ふくらはぎ用パッド715を示した斜視図である。前記ふくらはぎ用パッド
715は、半球弾性体715bが複数個配設されている伸縮性帯状弾性体715aと、前記伸縮性帯状弾性体715aの両端に固定されているリング715cと、両端フック715e付連結紐715dと、で形成されている。まず、座位姿勢となって、前記ふくらはぎ用パッド715をふくらはぎに巻きつけるように装着し,前記フック715eを、前記プリロード具722を介して前記止め環12bに連結し、次に、前記反復駆動装置51を起動し、ふくらはぎのひねり運動を行うことにより、ふくらはぎのむくみ予防効果が期待できる。尚、図示しないが前記伸縮性帯状弾性体715aの長手方向の中心線上に断続的に開口部を形成してもよい。
【００８７】
図10は、 首用パッド716を示した斜視図である。前記首用パッド716は、半球弾
性体716bが複数個配設されている帯状弾性体716aと、前記帯状弾性体716aの両端に固定されているリング716cと、フック716e付連結紐716dとで形成されている。まず、座位姿勢となって、首用パッド716を首に装着し、前記フック716eを、前記プリロード具722を介して前記止め環12bに連結し、次に、前記反復駆動装置51を起動し、首のひねり運動を行うことにより、首の疲労回復効果が期待できる。
【００８８】
図11は、押圧用パッド717を示した斜視図である。前記押圧用パッド717は、球状
弾性体717aと、湾曲棒717bと、前記湾曲棒717bの下端に固定されているリング717cと、フック717e付連結紐717dと、で形成されている。まず、座位姿勢となって、前記フック717eを前記止め環21aに連結し、前記押圧用パッド717を肩に当て、次に、前記反復駆動装置51を起動し、肩の押圧運動を行うことにより、肩こりの予防効果が期待できる。尚、前記球状弾性体717aは表面が軟質で、内部が硬質としてもよい。
【００８９】
図12は、 脚牽引用パッド718を示した斜視図である。前記脚牽引用パッド718
は、面ファースナ付筒状バンド718aと、前記筒状バンド718aの片端に付設されているリング718bと、フック718d付伸縮性連結紐718cとで形成されている。まず、前記脚牽引用パッド718を両足首に装着し、前記フック718dを前記止め環21aに連結し、次に、うつ伏せ姿勢となって、前記反復駆動装置51を起動し、脚の牽引運動を左右交互に行うことにより、脚のストレスを和らげる効果が期待できる。尚、前記伸縮性連結紐718cはゴム紐、又はスプリングとしてもよい。
【００９０】
図13は、前記球状パッド719を示す斜視図である。前記球状パッド719は、こう配
付球状弾性体719aとワンタッチ具719bとで回転可能に形成されている。まず、前記パット35の先端に前記球状パッド719を付着し、座位姿勢となって、前記反復駆動装置51を起動し、次に前記パッド駆動装置32を起動し、前記パット35を上、又は下方向に動かしながら背中を面状に叩いて背中のこりを和らげる効果が期待できる。尚、球状パッド719は中空、又は中実としてもよい。前記球状パッド719のこう配部は可撓性を有する弾性体又はスプリングとしてもよい。
【００９１】
図14は、 棒状パッド720を示した斜視図である。前記棒状パッド720は、先端に向かって太くなる棒状弾性体720aと、ワンタッチ具720bとで回転可能に形成されている。まず、前記パット35の先端に棒状パッド720を付着し、仰向け姿勢となって、前記腹腰兼用敷物パッド713を腰部に敷いて、次に、前記棒状パッド720を両足で軽く挟むようにして、前記反復装置51を起動し、腰の波打ち運動を行うことにより、腰部の疲労回復効果が期待できる。尚、棒状弾性体720aは表面が軟質で内部が硬質としてもよい。
【００９２】
図15は、腰ベルト721を示した斜視図である。前記腰ベルト721は、面ファース
ナ付ベルト721aと、前記ベルト721aの両側面に付設されているリング721bと、フック721d付伸縮性連結紐721cとで形成されている。まず、前記腰ベルト721を腰に装着し、前記フック721dを、前記プリロード具722を介して前記止め環12bに連結し、次に、前記腹腰兼用敷物パッド713を腹部に敷いて、前記反復駆動装置51を起動し、下半身を左右に揺動させながら腹部の波打ち運動を行うことにより、腹部のメタボ予防効果が期待できる。尚、伸縮性連結紐721cはゴム紐、又はスプリングとしてもよい。
【００９３】
図16は、前記プリロード具722を示した斜視図である。前記プリロード具722は、
ケース722aと、スプリング722bと、可動リング722cと、フック722dとで構成されている。前記プリロード具722は、身体に装着される前記パッド部7にあらかじめ張力をかけることにより、前記パット部7が身体に密着し運動がスムースに行えるという効果を有する。
【００９４】
図17は、クランク723を示した斜視図である。クランク723は、先端が角棒状の固
定軸723aと、回転可能に付設されているアーム723bと、前記アーム723bを固定するためのクランプ723cと、回転可能なグリップ723dと、複数個配設されている小穴723eと、で構成されている。まず、前記固定軸723aを前記角穴13aに挿入し、次に、前記反復駆動装置51を起動し、前記グリップ723eを握って前記上段ウイング11の前後運動に合せて両腕を大きく回すことにより、手首、肘及び肩のこわばり予防効果が期待できる。
【００９５】
図18は、連球パッド724を示した斜視図である。前記連球パッド724は、中心部に
貫通穴を有する大球弾性体724aと、小球弾性体724bと、伸縮性の通し紐724cと、前記通し紐724cに付設されているリング724dと、フック724f付連結紐724eと、で構成されている。まず、座位姿勢となって、前記連球パッド724を太ももなどに巻き付け、前記フック724fを、前記プリロード具722を介して前記止め環12bに連結し、次に、前記反復駆動装置51を起動し、太もものひねり運動を行うことにより、太もものセルライト予防効果が期待できる。尚、前記通し紐は超弾性ワイヤーとしてもよい。
【００９６】
図19は、温熱パッド725を示した斜視図である。温度調節器付の前記温熱パッド725は、内部に電気ヒータ725bを備えている四角形状のマット725aと、前記マット725a上に複数個複数列に配設されている半球状の弾性体725cと、で形成されている。まず、前記腰ベルト721を腰に装着し、前記フック721dを、前記プリロード具722を介して前記止め環12bに連結し、次に、前記温熱パッド725を腹部に敷いて、前記反復駆動装置51を起動し、腹部を左右に揺動させながら腹部の波打ち運動を行うことにより、腹部のセルライト予防効果が期待できる。尚、前記電気ヒータは、前記温度調節器を必要としない自己加熱制御面状発熱体としてもよい。
【００９７】
図示しないが、前記パット35の先端にワンタッチ具付の滑車を取り付けて、滑車に通した紐の一端を左手で掴み、他端を右手で掴んで上下運動を行うことにより、肩の痛みなどを和らげる効果が期待できる。
【００９８】
図示しないが、応用例として前記パット35の先端に団扇を取付けて、前記反復駆
動装置51を起動すると、そよ風が生じるので、寝ている幼児の睡眠を妨げない。
【００９９】
図示しないが、応用例として前記パット35の先端にペットが喜ぶ玩具を吊下げて、前記反復駆動装置51を起動すると玩具が動いてペットがじゃれつくので、ペットの運動不足解消効果が期待できる。
【符号の説明】
【０１００】
A       本体
１      上段ウイング部
１１    上段ウイング
１１a   ロック用小穴
１２    サドル
１２a   ロック機構
１２b   止め環
１３    球状弾性体
１３a   角穴
２      下段ウイング部
２１    下段ウイング
２１a   止め環
２２    球状弾性体
３      補駆動部
３１    球状体
３２    パット駆動装置
３２a   トルクリミッタ付DCギヤードモ−タ
３２b   ウォーム
３２c   ウォームホイール
３２d   軸受座
３２e   内軸
３３a   上限用近接スイッチ
３３b   下限用近接スイッチ
３４    スリット
３５    パット
３５a   内筒
３５b   クランプ
３５c   外筒
３５d   連結具
４      支柱部
４１    支柱
４１a   貫通穴
４２    ロック機構
４３    連結面
５      主駆動部
５１    反復駆動装置
５１a   ブラシレスＤＣモ−タ
５１b   ウォーム減速機
５１c   回転／反復変換機構
５２    制御装置
５２a   無段階速度制御部
５２b   定速度制御部
５２c   手元操作器
５３    筐体
５３a   通気口
５３b   排気口
５４    軸受
６      台板部
６１    台板
６２    フットレスト
６３    滑り止め具
６４    固定ネジ
６５    キャスタ
７      パッド部（附属品）
７１１   肩用パッド
７１１a  伸縮性ベルト
７１１b  環状バンド 
７１１c  連結紐
７１１d  フック
７１１e  紐 
７１１f  把持環
７１２   骨盤用敷物パッド
７１２a  マット
７１２b  略半円板状弾性体
７１２c  面ファースナ
７１３   腹腰兼用敷物パッド  
７１３a  略長方形弾性体 
７１３b  円状扁平弾性体
７１４   足首吊り用パッド
７１４a  面ファースナ付筒状弾性体
７１４b  鐙
７１４c  帯紐
７１４d  連結紐
７１４e  フック
７１５   ふくらはぎ用パッド
７１５a  伸縮性帯状弾性帯
７１５b  半球弾性体
７１５c  リング
７１５d  連結紐
７１５e  フック   
７１６   首用パッド
７１６a  帯状弾性体
７１６b  半球弾性体
７１６c  リング
７１６d  連結紐
７１６e  フック
７１７   押圧用パッド
７１７a  球状弾性体
７１７b  湾曲棒
７１７c  リング
７１７d  連結紐
７１７e  フック
７１８   脚牽引用パッド
７１８a  面ファースナ付筒状バンド
７１８b  リング
７１８c  伸縮性連結紐
７１８d  フック
７１９   球状パッド
７１９a  こう配付球状弾性体
７１９b  ワンタッチ具
７２０   棒状パッド
７２０a  棒状弾性体
７２０b  ワンタッチ具
７２１   腰ベルト
７２１a  面ファースナ付ベルト
７２１b  リング
７２１c  伸縮性連結紐
７２１d  フック
７２２   プリロード具
７２２a  ケース
７２２b  スプリング
７２２c  可動リング
７２２d  フック
７２３   クランク
７２３a  固定軸
７２３b  アーム
７２３c  クランプ 
７２３d  グリップ
７２３e  小穴
７２４   連球パッド
７２４a  大球弾性体
７２４b  小球弾性体
７２４c  通し紐
７２４d リング
７２４e  連結紐 
７２４f  フック
７２５   温熱パッド
７２５a  マット
７２５b  電気ヒータ
７２５c  半球弾性体
【図１】
2015171393.tif 000003
【図２】
2015171393.tif 000004
【図３】
2015171393.tif 000005
【図４】
2015171393.tif 000006
【図５】
2015171393.tif 000007
【図６】
2015171393.tif 000008
【図７】
2015171393.tif 000009
【図８】
2015171393.tif 000010
【図９】
2015171393.tif 000011
【図１０】
2015171393.tif 000012
【図１１】
2015171393.tif 000013
【図１２】
2015171393.tif 000014
【図１３】
2015171393.tif 000015
【図１４】
2015171393.tif 000016
【図１５】
2015171393.tif 000017
【図１６】
2015171393.tif 000018
【図１７】
2015171393.tif 000019
【図１８】
2015171393.tif 000020
【図１９】
2015171393.tif 000021
【手続補正書】
【提出日】平成26年8月7日(2014.8.7)
【手続補正１】
【補正対象書類名】特許請求の範囲
【補正対象項目名】全文
【補正方法】変更
【補正の内容】
【特許請求の範囲】
【請求項１】
人体の各部位に対して、ねじりを生じさせるための手段として、回動可能に垂直に支持されている支柱と、前記支柱を反復回動させるために前記支柱の下方先端に連結可能に配設されている反復駆動装置と、前記支柱の縦軸を中心として人体に対する前後方向の旋回力を付与するために前記支柱の上方側面に左右対称的に固着されている略棒状の上段ウイング、及び、前記支柱の縦軸を中心として人体に対する左右方向並びに横軸を中心として人体に対する上下方向の旋回力を付与するために、前記支柱の上部に連結可能に配設され、パットが固定されているパット駆動装置と、を備える本体と、前記本体側の前後、左右及び上下方向の旋回力を人体側に伝達するための手段として前記上段ウイングに着脱可能に連結、又は前記パットに着脱可能に付着される付属品であるパット部と、を備える構成としていることを特徴とする多目的フィットネス装置。
【請求項２】
前記反復駆動装置は、前記支柱を所定の揺動角で自動的に反復回動するための手段を備え、前記支柱の縦軸を中心として前記上段ウイングに人体に対する前後方向の旋回力を付与し、また、前記パット駆動装置内の縦軸を中心として前記パットに左右方向の旋回力を付与していることを特徴とする請求項1に記載の多目的フィットネス装置。
【請求項３】
前記上段ウイングは、旋回半径を調節するための手段を備え、前記支柱の縦軸を中心として人体に対する前後方向のストロークを自在に変えることができることを特徴とする請求項1又は請求項2に記載の多目的フィットネス装置。
【請求項４】
前記パッド駆動装置は、前記支柱上部に摺回動可能に連結される手段を備え、前記支柱の縦軸を中心として前記パット駆動装置の左右方向の向きを所定の角度の範囲内で自在に変えることができることを特徴とする請求項1乃至請求項3のいずれか１項に記載の多目的フィットネス装置。
【請求項５】
前記パット駆動装置は、前記パット駆動装置内の横軸を中心として前記パットを所定の角度の範囲内で上下方向に旋回動するための手段を備えていることを特徴とする請求項1乃至請求項4のいずれか１項に記載の多目的フィットネス装置。
【請求項６】
前記パットは、前記パットの旋回半径を調節するための手段を備え、前記パット駆動装置内の横軸を中心として人体に対する上下方向並びに縦軸を中心として人体に対する左右方向のストロークを自在に変更できることを特徴とする請求項1乃至請求項5のいずれか１項に記載の多目的フィットネス装置。
【請求項７】
前記支柱の下方側面に左右対称的に固着されている下段ウイングは、旋回半径を調節するための手段を備え、前記支柱の縦軸を中心として人体に対する前後方向のストロークを自在に変更できることを特徴とする請求項1乃至請求項6のいずれか１項に記載の多目的フィットネス装置。
【請求項８】
前記パット部が、伸縮性ベルトの両端に固定されている環状の環状バンドと、前記環状バンドの環に沿って移動可能に連結されているフック付紐及び把持環付紐とで形成される肩用パッドであることを特徴とする請求項１乃至7のいずれか1項に記載の多目的フィットネス装置。
【請求項９】
前記パットの左右方向旋回時に、マットと、前記マット上を移動可能に左右対称的に配設されている円弧状の周辺部に傾斜面を設けた略半円板状弾性体とで形成されている骨盤用敷物パッドは、人体の骨盤側面との当接圧力を増加させるという手段を備えていることを特徴とする請求項１乃至７のいずれか１項に記載の多目的フィットネス装置。
【請求項１０】
前記上段ウイングの旋回時に、中央部が低く左右端側が高く上下方向で弓なり状に湾曲している略長方形弾性体と、前記略長方形弾性体上に左右対称的に配設されている平面視が円状、側面視で上面が前面に向かって上向きに傾斜している鏡餅状の円状扁平弾性体とで形成されている腹腰兼用敷物パッドは、下腹部との当接圧力を増加させるという手段を備えていることを特徴とする請求項１乃至7のいずれか1項に記載の多目的フィットネス装置。